(57)【要約】【課題】低温環境でも発光効率を向上できるとともにランプ寿命を長くでき、器具本体の共用も可能とする蛍光ランプ被覆装置１４を提供する。【解決手段】蛍光ランプ１３の発光管２２を内側チューブ３１で覆い、内側チューブ３１を外側チューブ３２で覆い、低温環境における発光効率を向上させる。外側チューブ３２は内側チューブ３１の長さより短く、蛍光ランプ１３の端部のフィラメント部分２６に対応した内側チューブ３１の端部に、内側チューブ３１が露出する露出部３３を形成する。露出部３３を形成することで、蛍光ランプ１３のフィラメント部分２６の過度な温度上昇を抑制し、ランプ寿命を長くする。蛍光ランプ１３の端部には内側チューブ３１のみが位置し、外側チューブ３２の使用、非使用にかかわらず器具本体を共用できる。【選択図】        図１
2004327179.tif 000002
【特許請求の範囲】
【請求項１】
蛍光ランプの発光管をこの発光管から離間して覆う透光性を有する内側チューブと；
内側チューブの端部と蛍光ランプとに密着して設けられる内側パッキングと；内側チューブの長さより短く形成され、内側チューブをこの内側チューブから離間して覆うとともに蛍光ランプの端部のフィラメント部分に対応した内側チューブの端部にこの内側チューブが露出する露出部を形成する透光性を有する外側チューブと；
外側チューブの端部と内側チューブとに密着して設けられる外側パッキングと；
を具備していることを特徴とする蛍光ランプ被覆装置。
【請求項２】
内側チューブの露出部に、蛍光ランプが発した熱を蛍光ランプへ反射させる熱反射部を設けた
ことを特徴とする請求項１記載の蛍光ランプ被覆装置。
【請求項３】
ソケットを有する器具本体と；
ソケットに接続される蛍光ランプと；
蛍光ランプを覆う請求項１または２記載の蛍光ランプ被覆装置と；
を具備していることを特徴とする照明装置。
【発明の詳細な説明】
【０００１】
【発明の属する技術分野】
本発明は、蛍光ランプを覆う蛍光ランプ被覆装置、およびこの蛍光ランプ被覆装置を用いた照明装置に関する。
【０００２】
【従来の技術】
従来、直管形の蛍光ランプが露出している照明装置を低温環境で使用した場合、蛍光ランプの表面温度が発光効率のよい温度まで上がりにくいため、十分な明るさが得られない。
【０００３】
そこで、透光性を有するチューブで蛍光ランプを覆って保温することにより、蛍光ランプの表面温度が適切な温度に上がって十分な明るさを得るようにしている。チューブはより高い保温効果を得る場合に二重としており、これら二重のチューブの長さは同一長さであるとともに蛍光ランプの長さと略同じ長さに形成され、二重のチューブが同心円に配置されるように固定具によって蛍光ランプに取り付けられている。そして、蛍光ランプの端部の口金部および二重のチューブの端部をソケットのケース内に装着することにより、ソケット側に配設されたパッキングに二重のチューブの端部が密着し、二重のチューブの内部を密閉している（例えば、特許文献１参照）。
【０００４】
【特許文献１】
特開２００１−１０２０００号公報（第４頁、図１）
【０００５】
【発明が解決しようとする課題】
しかしながら、低温環境の中でも比較的温度の高い温度環境において、蛍光ランプを二重のチューブで覆った照明装置を使用した場合、蛍光ランプの両端のフィラメント部分が高温になり過ぎて、フィラメントの劣化が早まり、ランプ寿命が短くなる問題がある。
【０００６】
また、低温環境でも比較的温度が低い環境においては蛍光ランプを二重のチューブで覆った照明装置を使用し、低温環境の中でも比較的温度が高い環境においては蛍光ランプを一重のチューブで覆った照明装置を使用するというように、温度環境に対応して使い分けをする場合、ソケットに装着されるチューブの端部の径などが二重か一重かで異なるため、二重のチューブで覆った蛍光ランプを装着可能とするソケットと、一重のチューブで覆った蛍光ランプを装着可能とするソケットとにそれぞれ専用品を用いなければならず、照明装置の器具本体を共用できない問題がある。
【０００７】
本発明は、このような点に鑑みなされたもので、低温環境でも発光効率を向上できるとともにランプ寿命を長くでき、器具本体の共用も可能とする蛍光ランプ被覆装置、およびこの蛍光ランプ被覆装置を用いた照明装置を提供することを目的とする。
【０００８】
【課題を解決するための手段】
請求項１記載の蛍光ランプ被覆装置は、蛍光ランプの発光管をこの発光管から離間して覆う透光性を有する内側チューブと；内側チューブの端部と蛍光ランプとに密着して設けられる内側パッキングと；内側チューブの長さより短く形成され、内側チューブをこの内側チューブから離間して覆うとともに蛍光ランプの端部のフィラメント部分に対応した内側チューブの端部にこの内側チューブが露出する露出部を形成する透光性を有する外側チューブと；外側チューブの端部と内側チューブとに密着して設けられる外側パッキングと；を具備しているものである。
【０００９】
そして、この構成では、蛍光ランプの発光管を内側チューブおよび外側チューブで覆い、低温環境でも発光効率が向上するとともに、外側チューブの長さを内側チューブの長さより短くして蛍光ランプの端部のフィラメント部分に対応した内側チューブの端部にこの内側チューブが露出する露出部を形成することで、蛍光ランプのフィラメント部分の過度な温度上昇が抑制され、ランプ寿命が長くなり、さらに、蛍光ランプの端部には内側チューブのみが位置し、外側チューブを使用しない場合とで器具本体の共用を可能とする。
【００１０】
請求項２記載の蛍光ランプ被覆装置は、請求項１記載のランプ被覆装置において、内側チューブの露出部に、蛍光ランプが発した熱を蛍光ランプへ反射させる熱反射部を設けたものである。
【００１１】
そして、この構成では、内側チューブの露出部に設けた熱反射部で、蛍光ランプが発した熱を蛍光ランプへ反射させるので、蛍光ランプのフィラメント部分を保温し、低温環境でも発光効率が向上する。
【００１２】
請求項３記載の照明装置は、ソケットを有する器具本体と；ソケットに接続される蛍光ランプと；蛍光ランプを覆う請求項１または２記載の蛍光ランプ被覆装置と；を具備しているものである。
【００１３】
そして、この構成では、請求項１または２記載の蛍光ランプ被覆装置で覆った蛍光ランプを使用するので、ランプ寿命が長くなり、外側チューブを使用しない場合とで器具本体の共用を可能とする。
【００１４】
【発明の実施の形態】
以下、本発明の一実施の形態を図面を参照して説明する。
【００１５】
図１は蛍光ランプ被覆装置を用いた照明装置の一部を切り欠いた側面図、図２は照明装置の斜視図である。
【００１６】
図において、１１は照明装置で、この照明装置１１は、器具本体１２、この器具本体１２に取り付けられる直管形の蛍光ランプ１３および蛍光ランプ被覆装置１４を備えている。
【００１７】
器具本体１２は、天井面などの被設置部に取り付けられる図示しないシャーシおよびこのシャーシに取り付けられる反射体１６を有し、シャーシにはインバータ回路を有する点灯装置や端子台などの電気部品が取り付けられているとともに、シャーシの両端部に一対のソケット１８が取り付けられている。これらソケット１８は、防湿あるいは防雨などの機能を有する防水用ランプソケットすなわちいわゆる防水ソケットで、シャーシに固定されるソケット本体１９を備え、このソケット本体１９に円筒状のキャップ部２０がねじ込みなどして取り付けられ、これらソケット本体１９とキャップ部２０との間にゴムパッキングおよびスリップリングなどが挟まれている。
【００１８】
また、蛍光ランプ１３は、例えば、４０形で、管長が１１９８ｍｍ、直径が２５ｍｍあるいは３２ｍｍの一般的な直管形の蛍光ランプであり、直管状のガラス管である発光管２２、およびこの発光管２２の両端部に位置する金属製の口金部２３を備えている。各口金部２３は、発光管２２より径寸法が若干小さく形成されているとともに、端部から一対の口金ピン２４が突設されている。発光管２２の両端部には、フィラメント２５を有する電極が封止され、この電極が口金部２３の一対の口金ピン２４に接続されている。したがって、発光管２２の端部部分が、内部にフィラメント２５が配置されるフィラメント部分２６として構成されている。
【００１９】
また、蛍光ランプ被覆装置１４は、蛍光ランプ１３の発光管２２をこの発光管２２から離反して覆う内側チューブ３１と、内側チューブ３１をこの内側チューブ３１から離間して覆う外側チューブ３２とを有し、二重管構造に構成されている。これら内側チューブ３１および外側チューブ３２は、透光性を有する素材、例えば、透明なポリカーボネート製で、両端が開口した円筒状に形成されている。内側チューブ３１の内径寸法は蛍光ランプ１３の外径寸法すなわち発光管２２の外形寸法よりも大きく形成され、内側チューブ３１の軸方向の長さは蛍光ランプ１３の発光管２２の長さより長く口金部２３までの長さより短く蛍光ランプ１３の長さと略同じ例えば１１９３ｍｍに形成されている。外側チューブ３２の内径寸法は内側チューブ３１の外径寸法よりも大きく形成され、外側チューブ３２の軸方向の長さは内側チューブ３１の長さより短い例えば１０７０ｍｍに形成されている。そして、これら内側チューブ３１と外側チューブ３２との軸方向の長さの差により、蛍光ランプ１３のフィラメント部分２６に対応した内側チューブ３１の両端部に、外側チューブ３２によって覆われずに露出する露出部３３が形成されている。
【００２０】
内側チューブ３１の両端部には、この内側チューブ３１と蛍光ランプ１３とに密着する内側パッキング３４が取り付けられている。この内側パッキング３４は、弾性変形可能な素材、例えば、シリコンにより、円筒状をなす本体部３５を含む全体が一体に形成されている。本体部３５の内周面部３５ａからは、軸方向に沿った一端部近傍から、内周側に向かい、断面略半円状の内側突部３６が周方向に連続してすなわち全周に円環状をなして突設されている。また、本体部３５の外周面部３５ｂには、軸方向に沿った一端部から、周方向に断続的に複数箇所に、本実施の形態では５カ所に、内周側に向かって凹設された外側凹部３７が形成されている。各外側凹部３７は、内側突部３６に対応する位置、すなわち、本体部３５の厚さ方向に対して内側突部３６の反対側に位置して配置され、本体部３５の一端部に向かって深さが深くなるように傾斜して矩形状に切り欠かれている。さらに、外周面部３５ｂの他端部からは、内側チューブ３１の端部側で外周側に向かい、係止突部３８が周方向に連続してすなわち全周に円環状をなして突設されている。この係止突部３８の突出寸法は、内側チューブ３１の厚さ寸法と同等か、この内側チューブ３１の厚さ寸法より小さく形成されている。
【００２１】
外側チューブ３２の両端部には、この外側チューブ３２と内側チューブ３１とに密着する外側パッキング３９が取り付けられている。この外側パッキング３９は、弾性変形可能な素材、例えば、シリコンにより、円筒状をなす本体部４０を含む全体が一体に形成されている。本体部４０の内周面部４０ａからは、軸方向に複数でかつ断面略三角状の内側突部４１が周方向に連続してすなわち全周に円環状をなして突設されている。この内側突部４１は、内側チューブ３１の中央側に対応する本体部４０の一端側の傾斜が緩く、内側チューブ３１の端部側に対応する他端側の傾斜がきつく、内側チューブ３１の中央側への摺動を容易にするとともに内側チューブ３１の端部側への摺動を規制して抜け止めするように構成されている。また、本体部４０の外周面部４０ｂには、外側チューブ３２の端部側で外周側に向かい、係止突部４２が周方向に連続してすなわち全周に円環状をなして突設されている。この係止突部４２の突出寸法は、外側チューブ３２の厚さ寸法と同等か、この外側チューブ３２の厚さ寸法より小さく形成されている。
【００２２】
また、内側チューブ３１の露出部３３の外周面には、蛍光ランプ１３が発した熱つまり熱線を蛍光ランプ１３のフィラメント部分２６へ向けて反射させる熱反射部４５が設けられている。この熱反射部４５は、熱反射率の高い、例えば、銀色のアルミラベル、金属箔、銀色に塗装したフイルムなどのラベル４６で、そのラベル４６の一面が蛍光ランプ１３に対向して熱を反射させる反射面に形成されているとともに内側チューブ３１の露出部３３の外周面に貼り付けられる接着面に形成され、内側チューブ３１の露出部３３の外周面に対して複数巻きに巻き付けられている。また、ラベル４６の他面すなわち表面には、製品情報などを表示し、製品ラベルと兼用してもよい。
【００２３】
そして、蛍光ランプ被覆装置１４では、内側チューブ３１の両端部の内側に内側パッキング３４を圧入し、内側パッキング３４の係止突部３８を内側チューブ３１の端面に当接して位置決めするとともに、内側パッキング３４の外周面部３５ｂを内側チューブ３１の内側に面状に密着させる。また、外側チューブ３２のいずれかの開口から内側チューブ３１を挿入して貫通させ、内側チューブ３１の両端部の外側に外側パッキング３９を嵌め込み、外側パッキング３９を内側チューブ３１の中央側に摺動させて外側チューブ３２の両端部の内側に圧入し、外側パッキング３９の係止突部４２を外側チューブ３２の端面に当接して位置決めし、外側パッキング３９の内周面部４０ａの内側突部４１を内側チューブ３１の外周に線状に密着させるとともに、外側パッキング３９の外周面部４０ｂを外側チューブ３２の内周に面状に密着させることにより、内側チューブ３１の両端部に露出部３３を形成する。また、内側チューブ３１の露出部３３の外周面に熱反射部４５を構成するラベル４６を複数巻きに貼り付ける。
【００２４】
このように形成された蛍光ランプ被覆装置１４のいずれかの開口から蛍光ランプ１３を挿入することにより、両端の内側パッキング３４の内側突部３６が発光管２２の両端の外周に線状に密着し、蛍光ランプ１３と蛍光ランプ被覆装置１４とが組み合わされる。したがって、蛍光ランプ１３の発光管２３に対し内側チューブ３１および外側チューブ３２が同心円上に配置され、蛍光ランプ１３の発光管２３と内側チューブ３１との間に両端の内側パッキング３４で閉じられた内側空間部４９が形成され、内側チューブ３１と外側チューブ３２との間に両端の外側パッキング３９で閉じられた外側空間部５０が形成される。
【００２５】
この蛍光ランプ被覆装置１４を組み合わせた蛍光ランプ１３を、その蛍光ランプ１３の両端の口金部２３および内側チューブ３１の両端部を器具本体１２の相対向するソケット１８のソケット本体１９に装着し、キャップ部２０を締め付けることにより、器具本体１２に蛍光ランプ１３および蛍光ランプ被覆装置１４が取り付けられる。
【００２６】
この状態で、蛍光ランプ１３が内側チューブ３１およびソケット１８により略液密に覆われ、防水すなわち防湿および防雨の効果を奏するとともに、外気や空調の風が直接に蛍光ランプ１３に当たらず、保温の効果を奏する。
【００２７】
そして、本実施の形態によれば、蛍光ランプ１３の発光管２２を内側チューブ３１および外側チューブ３２で二重に覆うため、蛍光ランプ１３の発光管２２を保温する保温効果が高く、例えば０℃〜−３０℃程度の低温環境でも、十分な発光効率を得ることができる。
【００２８】
また、外側チューブ３２の長さを内側チューブ３１の長さより短くして蛍光ランプ１３の端部のフィラメント部分２６に対応した内側チューブ３１の端部に、この内側チューブ３１が露出する露出部３３を形成したため、低温環境の中でも比較的温度が高い例えば０℃〜−５℃程度の低温環境の場合でも、蛍光ランプ１３のフィラメント部分２６が過度に温度上昇するのを抑制でき、フィラメント２５の劣化を防ぎ、ランプ寿命を長くできる。さらに、蛍光ランプ１３の端部には内側チューブ３１のみが位置するため、外側チューブ３２を使用する場合でも、使用しない場合でも、共通のソケット１８に接続でき、器具本体１２を共用できる。
【００２９】
また、内側チューブ３１の露出部３３に熱反射部４５を構成するラベル４６を巻き付けることで、蛍光ランプ１３のフィラメント部分２６から発した熱を蛍光ランプ１３のフィラメント部分２６へ反射させ、蛍光ランプ１３のフィラメント部分２６を保温でき、低温環境の中でも比較的温度が低い例えば−３０℃程度の低温環境でも、十分な発光効率を得ることができる。さらに、ラベル４６を複数巻きすることで熱反射性および保温性を向上できる。また、このラベル４６は、表面に製品情報などを表示することで、製品ラベルとして兼用できる。
【００３０】
また、低温環境の中でも比較的温度が高い例えば０℃程度以上の低温環境の場合、外側チューブ３２を外した内側チューブ３１のみを一重として使用することで、蛍光ランプ１３の温度を発光効率のよい適切な温度に保つことができる。このとき、蛍光ランプ１３の端部には内側チューブ３１のみが位置するため、外側チューブ３２を外した場合でも、共通のソケット１８に接続でき、器具本体１２を共用できる。
【００３１】
また、外側チューブ３２を外した内側チューブ３１のみを一重として使用する場合でも、内側チューブ３１の露出部３３に相当する位置に熱反射部４５を構成するラベル４６を巻き付けることで、蛍光ランプ１３のフィラメント部分２６から発した熱を蛍光ランプ１３のフィラメント部分２６へ反射させ、蛍光ランプ１３のフィラメント部分２６を保温でき、十分な発光効率を得ることができる。
【００３２】
このように、蛍光ランプ被覆装置１４は、内側チューブ３１と外側チューブ３２と熱反射部４５とをそれぞれ任意に組み合わせることにより、低温環境の中でも異なる温度に応じて異なる対応ができ、どのような温度環境でも十分な発光効率を得るように構成できる。
【００３３】
なお、熱反射部４５は、ラベル４６に限らず、銀色などに塗装したり、リングなどを嵌めるようにしてもよく、あるいは、外側パッキング３９と一体に設けてもよい。また、熱反射部４５は、内側チューブ３１の外周面に設ける場合に限らず、内側チューブ３１の内周面に設けてもよく、この場合、蛍光ランプ１３の熱を直接反射させ、熱反射効率を向上できる。
【００３４】
また、上記の実施の形態では、ソケット１８として、キャップ部２０などを有する防水ソケットについて説明したが、この構成に限られず、キャップ部などを備えない通常のソケットを用いることもできる。この構成は、例えば、空調装置の送風により冷却されやすい蛍光ランプの保温について有効である。
【００３５】
【発明の効果】
請求項１記載の蛍光ランプ被覆装置によれば、蛍光ランプの発光管を内側チューブおよび外側チューブで覆い、低温環境でも発光効率を向上させることができるとともに、外側チューブの長さを内側チューブの長さより短くして蛍光ランプの端部のフィラメント部分に対応した内側チューブの端部にこの内側チューブが露出する露出部を形成することで、蛍光ランプのフィラメント部分の過度な温度上昇を抑制し、ランプ寿命を長くでき、さらに、蛍光ランプの端部には内側チューブのみが位置し、外側チューブを使用しない場合とで器具本体を共用できる。
【００３６】
請求項２記載の蛍光ランプ被覆装置によれば、請求項１記載の蛍光ランプ被覆装置の効果に加えて、内側チューブの露出部に設けた熱反射部で、蛍光ランプが発した熱を蛍光ランプへ反射させるので、蛍光ランプのフィラメント部分を保温でき、低温環境でも発光効率を向上できる。
【００３７】
請求項３記載の照明装置によれば、請求項１または２記載の蛍光ランプ被覆装置で覆った蛍光ランプを使用するので、ランプ寿命を長くでき、外側チューブを使用しない場合とで器具本体を共用できる。
【図面の簡単な説明】
【図１】本発明の一実施の形態を示す蛍光ランプ被覆装置を用いた照明装置の一部を切り欠いた側面図である。
【図２】同上照明装置の斜視図である。
【符号の説明】
１１    照明装置
１２    器具本体
１３    蛍光ランプ
１４    蛍光ランプ被覆装置
１８    ソケット
２２    発光管
２６    フィラメント部分
３１    内側チューブ
３２    外側チューブ
３３    露出部
３４    内側パッキング
３９    外側パッキング
４５    熱反射部
【図１】
2004327179.tif 000003
【図２】
2004327179.tif 000004